(57)【要約】 【課題】駅構内など、管理エリアへ入場又は出場する際の手荷物の忘れ物防止システム並びにその入出場機及び出場機を提供すること。【解決手段】入出場機の入口側及び出口側にＩＣカードリーダ・ライタを配置し、手荷物に取り付けた無線タグのＩＤの検証がＯＫ判定の場合、ＩＣカードを出口側に設けたＩＣカードリーダ・ライタにタッチすることを当該ＩＣカードの所持者に要求する。ＩＣカードがタッチされた場合、手荷物と共に入場が許可され、かつ、当該ＩＣカードに登録された無線タグの入場ビットが書込まれる。一方、出場機も同様に構成されており、無線タグのＩＤの検証がＯＫ判定の場合、ＩＣカードのタッチを要求し、ＩＣカードがタッチされた場合、手荷物と共に出場が許可され、かつ、当該ＩＣカードに登録された無線タグの入場ビットが消去される。【選択図】  図１
2012048412.tif 000002
【特許請求の範囲】
【請求項１】
利用者が所持するＩＣカード及び手荷物に取り付けた無線タグを判定する入場機又は出場機と、前記ＩＣカードのＩＤコード及び無線タグのＩＤコードを登録する上位装置と、を備えた忘れ物防止システムであって、
前記上位装置は、
前記ＩＣカードのＩＤコードに関連付けて前記無線タグのＩＤコードを登録する登録手段を備え、
前記入場機は、
前記ＩＣカードと通信し、当該ＩＣカードを読取り又はＩＣカードに書込むために当該入出場機の入口付近に配置された第１のＩＣカードリーダ・ライタと、
前記無線タグと通信し、当該無線タグを読取り又は無線タグに書込むための当該入場機の出口付近に配置された無線タグリーダ・ライタと、
前記ＩＣカードと通信し、当該ＩＣカードを読取り又はＩＣカードに書込むために当該入場機の出口付近に配置された第２のＩＣカードリーダ・ライタと、
前記無線タグリーダ・ライタで読取った無線タグのＩＤコードを検証するＩＤコード検証手段と、
前記ＩＣカードリーダ・ライタ、無線タグリーダ・ライタ及び第１及び第２のＩＣカードリーダ・ライタを制御する入場判定手段と、を備え、
前記入場判定手段は、
前記第１のＩＣカードリーダ・ライタで読取った乗車情報に基づいて現行の入場判定を行う現行入場判定工程と、
この現行判定工程の結果現行判定ＯＫの場合、前記無線タグリーダ・ライタで読取った無線タグのＩＤコードを検証するＩＤコード検証工程と、
このＩＤコード検証工程の結果無線タグのＩＤコードが当該ＩＣカードに登録されている無線タグのＩＤコードと一致した場合、当該ＩＣカードを前記第２のＩＣカードリーダ・ライタにタッチすることを利用者に要求するＩＣカードタッチ要求工程と、
このＩＣカードタッチ要求工程により利用者がＩＣカードをタッチしたとき、前記入場ビットを書き込む入場ビット書込工程と、
を備え、
前記出場機は、
前記ＩＣカードと通信し、当該ＩＣカードを読取り又はＩＣカードに書込むために当該出場機の入口付近に配置された第１のＩＣカードリーダ・ライタと、
前記無線タグと通信し、当該無線タグを読取り又は無線タグに書込むための当該出場機の出口付近に配置された無線タグリーダ・ライタと、
前記ＩＣカードと通信し、当該ＩＣカードを読取り又はＩＣカードに書込むために当該出場機の出口付近に配置された第２のＩＣカードリーダ・ライタと、
前記ＩＣカードリーダ・ライタ、無線タグリーダ・ライタ及び第１及び第２のＩＣカードリーダ・ライタを制御する出場判定手段と、を備え、
前記出場判定手段は、
前記第１のＩＣカードリーダ・ライタで読取った乗車情報に基づいて現行の出場判定を行う現行出場判定工程と、
入場ビットが書き込まれているかを確認する入場ビット確認工程と、
この入場ビット確認工程の結果入場ビットが書き込まれているとき、前記無線タグリーダ・ライタで読取った無線タグのＩＤコードを検証するＩＤコード検証工程と、
このＩＤコード検証工程による検証の結果無線タグのＩＤコードが当該ＩＣカードに登録されている無線タグのＩＤコードと一致した場合、当該ＩＣカードを前記第２のＩＣカードリーダ・ライタにタッチすることを利用者に要求するＩＣカードタッチ要求工程と、
このＩＣカードタッチ要求工程により利用者がＩＣカードをタッチしたとき、前記入場ビットを消去する入場ビット消去工程と、
を備えたことを特徴とする忘れ物防止システム。
【請求項２】
利用者が所持するＩＣカード及び手荷物に取り付けた無線タグを判定する入場機又は出場機と、前記ＩＣカードのＩＤコード及び無線タグのＩＤコードを登録する上位装置と、を備えた忘れ物防止システムの入場機であって、
前記ＩＣカードと通信し、当該ＩＣカードを読取り又はＩＣカードに書込むために当該入出場機の入口付近に配置された第１のＩＣカードリーダ・ライタと、
前記無線タグと通信し、当該無線タグを読取り又は無線タグに書込むための当該入場機の出口付近に配置された無線タグリーダ・ライタと、
前記ＩＣカードと通信し、当該ＩＣカードを読取り又はＩＣカードに書込むために当該入場機の出口付近に配置された第２のＩＣカードリーダ・ライタと、
前記無線タグリーダ・ライタで読取った無線タグのＩＤコードを検証するＩＤコード検証手段と、
前記ＩＣカードリーダ・ライタ、無線タグリーダ・ライタ及び第１及び第２のＩＣカードリーダ・ライタを制御する入場判定手段と、を備え、
前記入場判定手段は、
前記第１のＩＣカードリーダ・ライタで読取った乗車情報に基づいて現行の入場判定を行う現行入場判定工程と、
この入出場確認工程の結果入場ビットが書き込まれているとき、前記無線タグリーダ・ライタで読取った無線タグのＩＤコードを検証するＩＤコード検証工程と、
このＩＤコード検証工程による検証の結果無線タグのＩＤコードが当該ＩＣカードに登録されている無線タグのＩＤコードと一致した場合、当該ＩＣカードを前記第１又は第２のＩＣカードリーダ・ライタにタッチすることを利用者に要求するＩＣカードタッチ要求工程と、
このＩＣカードタッチ要求工程により利用者がＩＣカードをタッチしたとき、前記入場ビットを消去する入場ビット消去工程と、
を備えたことを特徴とする忘れ物防止システムの入場機。
【請求項３】
利用者が所持するＩＣカード及び手荷物に取り付けた無線タグを判定する入場機又は出場機と、前記ＩＣカードのＩＤコード及び無線タグのＩＤコードを登録する上位装置と、を備えた忘れ物防止システムの出場機であって、
前記ＩＣカードと通信し、当該ＩＣカードを読取り又はＩＣカードに書込むために当該出場機の入口付近に配置された第１のＩＣカードリーダ・ライタと、
前記無線タグと通信し、当該無線タグを読取り又は無線タグに書込むための当該出場機の出口付近に配置された無線タグリーダ・ライタと、
前記ＩＣカードと通信し、当該ＩＣカードを読取り又はＩＣカードに書込むために当該出場機の出口付近に配置された第２のＩＣカードリーダ・ライタと、
前記ＩＣカードリーダ・ライタ、無線タグリーダ・ライタ及び第１及び第２のＩＣカードリーダ・ライタを制御する出場判定手段と、を備え、
前記出場判定手段は、
前記第１のＩＣカードリーダ・ライタで読取った乗車情報に基づいて現行の出場判定を行う現行出場判定工程と、
入場ビットが書き込まれているかを確認する入場ビット確認工程と、
この入出場確認工程の結果入場ビットが書き込まれているとき、前記無線タグリーダ・ライタで読取った無線タグのＩＤコードを検証するＩＤコード検証工程と、
このＩＤコード検証工程による検証の結果無線タグのＩＤコードが当該ＩＣカードに登録されている無線タグのＩＤコードと一致した場合、当該ＩＣカードを前記第１又は第２のＩＣカードリーダ・ライタにタッチすることを利用者に要求するＩＣカードタッチ要求工程と、
このＩＣカードタッチ要求工程により利用者がＩＣカードをタッチしたとき、前記入場ビットを消去する入場ビット消去工程と、
を備えたことを特徴とする忘れ物防止システムの出場機。
【発明の詳細な説明】
【技術分野】
【０００１】
本発明の実施形態は、自動改札機など、管理エリアへ入場または出場する際の手荷物の忘れ物防止システム並びにその入場機及び出場機に関する。
【背景技術】
【０００２】
鉄道又は空港施設を利用する利用者が乗車券を自動改札機に投入又は翳すことにより読取らせ、当該構内に入場又は構内から出場することができる。この際、ハンドキャリーした手荷物は、一般的には管理されないので、置き忘れてしまったことに気が付かず、第三者に持ち去られてしまうなどの課題があった。この課題を解決するために、遺失情報通知システムが知られている（例えば、特許文献１参照。）。
【先行技術文献】
【特許文献】
【０００３】
【特許文献１】特開２００６−１７８９４２号公報（第１２−１３頁、図１５）
【発明の概要】
【発明が解決しようとする課題】
【０００４】
しかしながら、特許文献１記載の遺失情報通知システムは、施設利用領域内で紛失したとき、紛失したことを知らずに施設から退場するときに通知することをその趣旨としているため、自動改札機による通行の阻止又は第三者が他人の所持品を所有して自動改札機から退出することを阻止する機能を有していないため、第三者に持ち去られる危険性があるという課題がある。
【０００５】
本発明は、上述した課題を解決するためになされたもので、手荷物に無線タグを対応付け、当該無線タグのＩＤコードを利用者の所持するＩＣカードのＩＤコードと関連付けて登録することにより当該利用者が施設から自動改札機を利用して退出する際に手荷物を忘れて退出又は第三者による持ち去りを防止する手荷物の忘れ物防止システム及びその入場機及び出場機を提供することを目的とする。
【課題を解決するための手段】
【０００６】
上記目的を達成するために、本発明の請求項１記載の忘れ物防止システムは、利用者が所持するＩＣカード及び手荷物に取り付けた無線タグを判定する入場機又は出場機と、前記ＩＣカードのＩＤコード及び無線タグのＩＤコードを登録する上位装置と、を備えた忘れ物防止システムであって、前記上位装置は、前記ＩＣカードのＩＤコードに関連付けて前記無線タグのＩＤコードを登録する登録手段を備え、前記入場機は、前記ＩＣカードと通信し、当該ＩＣカードを読取り又はＩＣカードに書込むために当該入出場機の入口付近に配置された第１のＩＣカードリーダ・ライタと、前記無線タグと通信し、当該無線タグを読取り又は無線タグに書込むための当該入場機の出口付近に配置された無線タグリーダ・ライタと、前記ＩＣカードと通信し、当該ＩＣカードを読取り又はＩＣカードに書込むために当該入場機の出口付近に配置された第２のＩＣカードリーダ・ライタと、前記無線タグリーダ・ライタで読取った無線タグのＩＤコードを検証するＩＤコード検証手段と、前記ＩＣカードリーダ・ライタ、無線タグリーダ・ライタ及び第１及び第２のＩＣカードリーダ・ライタを制御する入場判定手段と、を備え、前記入場判定手段は、前記第１のＩＣカードリーダ・ライタで読取った乗車情報に基づいて現行の入場判定を行う現行入場判定工程と、この現行判定工程の結果現行判定ＯＫの場合、前記無線タグリーダ・ライタで読取った無線タグのＩＤコードを検証するＩＤコード検証工程と、このＩＤコード検証工程の結果無線タグのＩＤコードが当該ＩＣカードに登録されている無線タグのＩＤコードと一致した場合、当該ＩＣカードを前記第２のＩＣカードリーダ・ライタにタッチすることを利用者に要求するＩＣカードタッチ要求工程と、このＩＣカードタッチ要求工程により利用者がＩＣカードをタッチしたとき、前記入場ビットを書き込む入場ビット書込工程と、を備え、前記出場機は、前記ＩＣカードと通信し、当該ＩＣカードを読取り又はＩＣカードに書込むために当該出場機の入口付近に配置された第１のＩＣカードリーダ・ライタと、前記無線タグと通信し、当該無線タグを読取り又は無線タグに書込むための当該出場機の出口付近に配置された無線タグリーダ・ライタと、前記ＩＣカードと通信し、当該ＩＣカードを読取り又はＩＣカードに書込むために当該出場機の出口付近に配置された第２のＩＣカードリーダ・ライタと、前記ＩＣカードリーダ・ライタ、無線タグリーダ・ライタ及び第１及び第２のＩＣカードリーダ・ライタを制御する出場判定手段と、を備え、前記出場判定手段は、前記第１のＩＣカードリーダ・ライタで読取った乗車情報に基づいて現行の出場判定を行う現行出場判定工程と、入場ビットが書き込まれているかを確認する入場ビット確認工程と、この入場ビット確認工程の結果入場ビットが書き込まれているとき、前記無線タグリーダ・ライタで読取った無線タグのＩＤコードを検証するＩＤコード検証工程と、このＩＤコード検証工程による検証の結果無線タグのＩＤコードが当該ＩＣカードに登録されている無線タグのＩＤコードと一致した場合、当該ＩＣカードを前記第２のＩＣカードリーダ・ライタにタッチすることを利用者に要求するＩＣカードタッチ要求工程と、このＩＣカードタッチ要求工程により利用者がＩＣカードをタッチしたとき、前記入場ビットを消去する入場ビット消去工程と、を備えたことを特徴とする。
【０００７】
また、本発明の請求項２記載の忘れ物防止システムの入場機は、利用者が所持するＩＣカード及び手荷物に取り付けた無線タグを判定する入場機又は出場機と、前記ＩＣカードのＩＤコード及び無線タグのＩＤコードを登録する上位装置と、を備えた忘れ物防止システムの入場機であって、前記ＩＣカードと通信し、当該ＩＣカードを読取り又はＩＣカードに書込むために当該入出場機の入口付近に配置された第１のＩＣカードリーダ・ライタと、前記無線タグと通信し、当該無線タグを読取り又は無線タグに書込むための当該入場機の出口付近に配置された無線タグリーダ・ライタと、前記ＩＣカードと通信し、当該ＩＣカードを読取り又はＩＣカードに書込むために当該入場機の出口付近に配置された第２のＩＣカードリーダ・ライタと、前記無線タグリーダ・ライタで読取った無線タグのＩＤコードを検証するＩＤコード検証手段と、前記ＩＣカードリーダ・ライタ、無線タグリーダ・ライタ及び第１及び第２のＩＣカードリーダ・ライタを制御する入場判定手段と、を備え、前記入場判定手段は、前記第１のＩＣカードリーダ・ライタで読取った乗車情報に基づいて現行の入場判定を行う現行入場判定工程と、この入出場確認工程の結果入場ビットが書き込まれているとき、前記無線タグリーダ・ライタで読取った無線タグのＩＤコードを検証するＩＤコード検証工程と、このＩＤコード検証工程による検証の結果無線タグのＩＤコードが当該ＩＣカードに登録されている無線タグのＩＤコードと一致した場合、当該ＩＣカードを前記第１又は第２のＩＣカードリーダ・ライタにタッチすることを利用者に要求するＩＣカードタッチ要求工程と、このＩＣカードタッチ要求工程により利用者がＩＣカードをタッチしたとき、前記入場ビットを消去する入場ビット消去工程と、を備えたことを特徴とする。
【０００８】
さらに、本発明の請求項３記載の忘れ物防止システムの出場機は、利用者が所持するＩＣカード及び手荷物に取り付けた無線タグを判定する入場機又は出場機と、前記ＩＣカードのＩＤコード及び無線タグのＩＤコードを登録する上位装置と、を備えた忘れ物防止システムの出場機であって、前記ＩＣカードと通信し、当該ＩＣカードを読取り又はＩＣカードに書込むために当該出場機の入口付近に配置された第１のＩＣカードリーダ・ライタと、前記無線タグと通信し、当該無線タグを読取り又は無線タグに書込むための当該出場機の出口付近に配置された無線タグリーダ・ライタと、前記ＩＣカードと通信し、当該ＩＣカードを読取り又はＩＣカードに書込むために当該出場機の出口付近に配置された第２のＩＣカードリーダ・ライタと、前記ＩＣカードリーダ・ライタ、無線タグリーダ・ライタ及び第１及び第２のＩＣカードリーダ・ライタを制御する出場判定手段と、を備え、前記出場判定手段は、前記第１のＩＣカードリーダ・ライタで読取った乗車情報に基づいて現行の出場判定を行う現行出場判定工程と、入場ビットが書き込まれているかを確認する入場ビット確認工程と、この入出場確認工程の結果入場ビットが書き込まれているとき、前記無線タグリーダ・ライタで読取った無線タグのＩＤコードを検証するＩＤコード検証工程と、このＩＤコード検証工程による検証の結果無線タグのＩＤコードが当該ＩＣカードに登録されている無線タグのＩＤコードと一致した場合、当該ＩＣカードを前記第１又は第２のＩＣカードリーダ・ライタにタッチすることを利用者に要求するＩＣカードタッチ要求工程と、このＩＣカードタッチ要求工程により利用者がＩＣカードをタッチしたとき、前記入場ビットを消去する入場ビット消去工程と、を備えたことを特徴とする。
【図面の簡単な説明】
【０００９】
【図１】本発明の実施例に係る忘れ物防止システムの一例
【図２】図１に示す忘れ物防止システムに係る自動改札機の一例
【図３】図１に示す忘れ物防止システムに係る自動改札機を使用する場合の一例
【図４】図３に示す自動改札機の平面図
【図５】図１に示すＩＣカード及び無線タグのＩＤコードの一例
【図６】自動改札機入場判定処理のフローチャート
【図７】自動改札機出場判定処理のフローチャート
【発明を実施するための形態】
【００１０】
本発明の実施例に係る自動改札機による忘れ物防止システムは、乗車券としてのＩＣカードと手荷物に添付した無線ＩＣタグ（以下、無線タグと称する。）を関連付けて登録することにより、手荷物ごとの物品名称の登録を行わなくとも、当該ＩＣカード利用者が、手荷物を紛失した状態で施設利用領域内から出場することを阻止することができる。以下、図面を参照し本発明の実施例を説明する。
【実施例】
【００１１】
図１は、本発明の実施例に係る忘れ物防止システムの一例である。図２は、図１に示す忘れ物防止システムに係る自動改札機（出場機）１１・１２の一例である。図３は、図１に示す忘れ物防止システムに係る自動改札機を使用する場合の一例である。図４は、図３に示す自動改札機の平面図である。以下、これらの図を参照して説明する。
【００１２】
本発明の実施例に係る忘れ物防止システムは、入場機としての自動改札機１０又は出場機としての自動改札機１１又は１２、荷物管理サーバ（上位装置）２０及び遺失物管理サーバ３０を有して構成される。
【００１３】
自動改札機１０は、ＩＣカードリーダ・ライタ１０ａ・１０ｂ、表示器１０ｃ、無線タグリーダ・ライタ１０ｄ及びドア１０ｅを有して構成され、乗車券としての無線ＩＣカード（以下、ＩＣカードと称する。）Ｔを所持する利用者が駅構内へ入場することを許可又は禁止する装置である。自動改札機１１又は１２は、自動改札機１０と同様に構成され、乗車券としてのＩＣカードＴを所持する利用者が駅構外へ出場することを許可又は禁止する装置である。これらは、すでに、実用化されている。
【００１４】
ＩＣカードリーダ・ライタ１０ａ・１０ｂは、乗車券としてのＩＣカードＴの利用日付、乗車期間、大人・小児区分情報、入出場コードなどの乗車情報を読取り、又は書込む。
【００１５】
表示器１０ｃは、乗車券の判定結果を表示して利用者に対する警告又は案内表示などを行う。
【００１６】
無線タグリーダ・ライタ１０ｄは、手荷物に貼り付けた無線タグの読取り・書込みを行う。
【００１７】
このような構成において、無線タグのＩＤデータは無線タグリーダ・ライタ１０ａで読取られ、手荷物判定手段によって判定される。また、この判定結果に基づいてドア制御手段が利用者の通行を許可又は禁止するためにドア１０ｅの開閉制御を行う。なお、他の自動改札機１１、１２の場合であっても対応する無線タグリーダ・ライタによって読取られた無線タグのＩＤデータに基づいて手荷物判定手段によって判定され、その判定結果に基づいてドア制御手段がドア１０ｅの開閉を制御する。
【００１８】
本実施例では、入場機としての自動改札機１０の入口付近に配置されたＩＣカードリーダ・ライタ（第１のＩＣカードリーダ・ライタ）１０ａの他、進行方向下流であって、磁気券の取出口１０ｇの直近上流にＩＣカードリーダライタ・ライタ（第２のＩＣカードリーダ・ライタ）１０ｂがさらに配置されている。出場機としての自動改札機１１についても同様である。
【００１９】
また、図３に示す図示矢印Ｄで示す進行方向下流の出口側ドア１０ｅの近傍に無線タグリーダ・ライタ１０ｄが配置される。この無線タグリーダ・ライタ１０ｄは、荷物６１に取り付け又は貼り付けた無線タグ６１ａを非接触で読取り又は書込みすることが可能である。
【００２０】
表示器１０ｃは、忘れ物をして通過しようとする利用者に対し、注意の喚起又は操作案内などを行う。
【００２１】
利用者は、手荷物６０を持ったまま入出場機としての自動改札機１０を通過する前に、荷物管理サーバ２０に手荷物６０を登録する。
【００２２】
荷物管理サーバ２０は、図示しないＣＰＵ、メモリ及び入出力部を備え、メモリに組み込まれたプログラムを実行することにより登録手段としての機能を有し、また、無線タグ６１ａのＩＤコードをＩＣカードＴのＩＤコードに関連して登録することができる。さらに、当該発行したＩＤコードの検索可能なデータベースサーバを構成する。
【００２３】
上述した登録の際、手荷物６０の名前を登録するのではなく、忘れ物防止システムを利用するのに必要な無線タグのＩＤコードの発行を受ける。この無線タグのＩＤコードは、上記乗車券としてのＩＣカードＴに紐付け（関連付け）して登録される。例えば、利用者Ａが所持するＩＣカードＡ（ここでは、他の利用者が所持するＩＣカードと区別するためにＩＣカードＡとする。）のＩＤコードがＡ１であるとき、当該ＩＣカードＡのＩＤコードＡ１に関連付けて、荷物６１の無線タグ６１ａ（例えば、無線タグ１）のＩＤコードａ１、及び携帯電話６２（例えば、無線タグ２）のＩＤコードａ２を登録する。すなわち、ＩＣカードＡを所持する利用者は、無線タグ１のＩＤコードａ１である荷物６１と無線タグ２のＩＤコードａ２である携帯電話６２を所有していることが登録される（図５（２）参照）。なお、この登録の際、当該無線タグ１のＩＤコードａ１の属性として荷物６１の外観を写した写真を登録することも可能である。この登録は荷物管理サーバ２０に登録されると共に荷物の所持者が所持する当該ＩＣカードＡにも登録される。
【００２４】
なお、当該無線タグ１、２のＩＤコードａ１、ａ２を他のＩＣカードＢのＩＤコードＢ１に関連付けて登録することも可能である。このようにすることにより、荷物６１を複数のＩＣカード所持者が共同して持ち込み又は持ち出ことが可能になる。
【００２５】
上記無線タグのＩＤコードは、物品毎に設定しておいてもよいし、ユニークなコードとしてもよい。物品ごとに設定した場合は無線タグのＩＤコードも単純なコードで管理することが可能になるが、同一ＩＤコードが複数発行されることになる。しかしながら、ＩＣカードのＩＤコードは重複して発行されないことを前提にすれば、手荷物の無線タグのＩＤコードは、物品毎に設定したコードであっても、手荷物の忘れ物をした利用者に注意を喚起し、又は第三者による持ち出し防止には効果がある。
【００２６】
一方、ユニークなコードを用いた場合には、手荷物の物品と１対１に対応するため、認識間違いなどを防ぐことができるが、ＩＤコードの桁数が多くなり、管理が複雑になることが考えられる。
【００２７】
このＩＣカードＴのＩＤコードの発行を受ける方法には、例えば、無線タグを購入し、乗車券としてのＩＣカードに紐付けして当該無線タグのＩＤコードを登録し、当該登録された無線タグを当該手荷物６０に取り付け又は貼り付けて用いる。
【００２８】
例えば、図示した本実施例では、荷物６１及び携帯電話６２の忘れ物防止用に発行された無線タグのＩＤコードが、所持するＩＣカードＴに関連して個々に登録される。
【００２９】
この登録の後、利用者は当該登録した手荷物６０を持って自動改札機１０から施設内（この場合は駅構内）に入場し（図３参照）、鉄道を利用して目的地に移動することになる。
【００３０】
万が一、鉄道施設内に忘れ物をした当事者は、忘れ物当事者７０に該当し、忘れ物が遺失物管理サーバ３０に登録されていないか確認することができる。
【００３１】
図２は、図１に示す忘れ物防止システムに係る自動改札機の一例で、出場の際使用される自動改札機１１又は１２である。例えば、上述した利用者が、目的地に到着し、当該目的地に設置されている自動改札機１１又は１２を利用して出場する場合が該当する。
【００３２】
ここで図２（１）は、第三者が、第三者の所持するＩＣカードＴを翳して、荷物６１を持って、当該自動改札機１１から出場する場合を示しており、当該第三者が他人の荷物６１を携帯して出場することを防止するために、自動改札機１１は、当該自動改札機１１のドア１１ｅを閉じ、かつ、表示器１１ｃ（図３に示す表示器１０ｃと同様）に「自動改札機で出場できません」表示を行い、第三者に警報する。
【００３３】
一方、図２（２）は、本来の荷物６１の所有者が荷物６１を鉄道車両内又は施設内に置き忘れて出場する場合を示しており、当該本来の荷物６１の所有者に荷物を置き忘れていることを知らせるために、自動改札機１２は、当該自動改札機１２のドア１２ｅを閉じ、かつ、「自動改札機で出場できません」表示を行い、本来の荷物の所有者である鉄道施設の利用者に忘れ物をした状態で通過しようとしていることを通知する。
【００３４】
上記図２（１）の場合、ＩＣカードのＩＤコードに関連付けられて登録された手荷物の無線タグのＩＤコードは第三者の所持するＩＣカードに関連付けられて登録された無線タグのＩＤコードではないために、自動改札機１１による判定がＮＧとなる。この場合、自動改札機１１は、当該ＮＧ情報を荷物管理サーバ２０に送信する。
【００３５】
荷物管理サーバ２０は、当該ＮＧ情報を遺失物管理サーバ３０に送信する。例えば、荷物６１の本来の所有者が上記図２（２）の態様により、荷物６１を忘れたことに気が付き、当該情報を駅係員に届け出た場合、当該駅係員は、遺失物管理サーバ３０に遺失物として管理されていないか確認すると共に、当該荷物６１を遺失物として登録する。その際、当該荷物６１に貼り付けられた無線タグのＩＤコードが登録される。
【００３６】
図４は、図３に示す自動改札機１０の平面図で、本発明の実施例に係るＩＣカードリーダ・ライタが通常位置に配置されたＩＣカード・リーダライタ１０ａの他、ＩＣカードリーダ・ライタ１０ｂが取出口１０ｇの直近上流に配置されていることを示す。
【００３７】
図５は、図１に示すＩＣカードＴ及び無線タグ６１ａの一例である。図５（１）は、Ａが所持するＩＣカードＡ及びそれに関連付けられた複数の無線タグ１〜３のＩＤコードを示す。図５（２）は、Ｂが所持するＩＣカードＢ及びそれに関連付けられた複数の無線タグ１〜３のＩＤコードを示す。本実施例では、物品名毎にＩＤコードが定められている場合を示す。この場合には、同一物品名には同一ＩＤコードが設定されるため、ＩＤコードが無限に増加することがなく管理しやすいという利点がある。しかしながら、これに限るものではなく、ユニークなＩＤコードを設定することも可能である。
【００３８】
（１）Ａが所持するＩＣカードＡ
ＩＣカードＡのＩＤコード：Ａ１
ＩＣカードＡの有効期限：１００１０１〜１００６３０
（１０年１月１日〜１０年６月３０日）
当該ＩＣカードＡのＩＤコードに関連付けられた無線タグのＩＤコードとして下記３件登録されている場合
無線タグ１のＩＤコード：ａ１
無線タグ２のＩＤコード：ａ２
無線タグ３のＩＤコード：ａ３
（２）Ｂが所持するＩＣカード
ＩＣカードＢのＩＤコード：Ｂ１
ＩＣカードＢの有効期限：１００４１６〜１０５１５
（１０年４月１６日〜１０年５月１５日）
当該ＩＣカードＢのＩＤコードに関連付けられた無線タグのＩＤコードとして下記３件登録されている場合
無線タグ１のＩＤコード：ａ１
無線タグ２のＩＤコード：ａ２
無線タグ３のＩＤコード：ａ３
図５（３）は、無線タグ１に関連付けたＩＣカードを示しており、本実施例では、ＩＣカードＡ及びＩＣカードＢが存在することを示す。図５（４）は、無線タグ２に関連付けたＩＣカードを示しており、本実施例では、図５（３）同様ＩＣカードＡ及びＩＣカードＢが存在することを示す。上述したように、無線タグのＩＤコードを複数のＩＣカードのＩＤコードに関連付けて登録することにより、当該無線タグの取付けられた荷物を複数の利用者で共同管理することが可能になる。
【００３９】
図６は、自動改札機入場判定処理のフローチャートである。自動改札機１０（入場機）は、ＩＣカードリーダ・ライタ１０ａを有して構成されており、利用者が所持するＩＣカードＴはこのＩＣカードリーダ・ライタ１０ａによって読取られる。また、利用者が所持する荷物６１の無線タグ６１ａは無線タグリーダ・ライタ１０ｄによって読取り、書込みが行われる。
【００４０】
以上のことを前提として、自動改札機入場判定処理のフローチャートを説明する。ここで、ＩＣカードＡを所持する利用者が荷物６１に貼り付けられた無線タグ６１ａ（無線タグ１）をもって自動改札機１０から入場する場合を例に説明する。
【００４１】
自動改札機（入場機）１０による現行入場判定の結果、判定ＯＫの場合（Ｓ０１のＹ）、忘れ物防止システムがスタートする（Ｓ０２）。また、現行入場判定の結果、判定ＮＧの場合（Ｓ０１のＮ）、判定ＮＧ処理（現行入場処理）が行われる。すなわち、自動改札機１０によりドア１０ｅが閉じられ、かつ、表示器１０ｃの異常ランプが点滅する（Ｓ０３）。
【００４２】
無線タグがない場合（Ｓ０４のＮ）、自動改札機による通常処理であるため、ステップＳ０１による乗車券の判定ＯＫに基づいて自動改札機（入場機）１０を通過して構内に入場することができる（Ｓ０６）。
【００４３】
一方、無線タグが有る場合（検知された場合）（Ｓ０４のＹ）、無線タグリーダ・ライタ１０ｄで無線タグのデータが読取られる（Ｓ０５）。利用者が所持するＩＣカードＡのＩＤコードＡ１に関連付けられた無線タグ１のＩＤコードａ１が登録されているか確認をする。または、無線タグ１のＩＤコードａ１に関連付けられて、当該無線タグ１の所持者としての権限を有するＩＣカードＡのＩＤコードＡ１が登録されているかを確認する（Ｓ０７）。すなわち、当該無線タグ１を所持する権限を有する者として登録された者であるかどうかの検証を行う（Ｓ０７）。
【００４４】
この検証の結果、一致しない場合（Ｓ０７のＮ）は、当該無線タグ１を所持する権限を有していない第三者が所持して自動改札機を通過（入場）しようとしていることになる（Ｓ０８）。
【００４５】
一方、この検証の結果、一致している場合（Ｓ０７のＹ）、当該無線タグ１の利用期限が利用期限内であるかを確認する（Ｓ０９）。この確認の結果、利用期限内であれば（Ｓ０９のＹ）、ＩＣカードＡをＩＣカードリーダ・ライタ１０ｂにタッチすることを表示器１０ｃに表示する（Ｓ１１）。なお、ＩＣカードリーダ・ライタは１０ａにタッチした場合であっても同様の効果が得られるが、無線タグリーダ・ライタ１０ｄが自動改札機１０の進行方向下流側に配置されているので、ＩＣカードリーダ・ライタ１０ｂにタッチする方が利便性がよい。
【００４６】
ステップＳ０９において、利用期限が利用期限外の場合（Ｓ０９のＮ）、期限切れ判定による判定ＮＧとし、ドア１０ｅを閉じて利用者の通行を拒否する（Ｓ１０）。
【００４７】
ステップＳ１２において、タッチが行われた場合（Ｓ１２のＹ）、利用者は自動改札を通過（入場）することができる。この際、当該利用者が所持するＩＣカードに対して荷物ごとに設定可能な入出場情報エリアに入場コードの書込み「０」→「１」を行う（Ｓ１３）。
【００４８】
一方、ステップＳ１１において、タッチが行われなかった場合（Ｓ１２のＮ）、入場を拒否する（Ｓ１４）。利用者の所持するＩＣカードと当該利用者の所持する荷物に貼り付けられた無線タグの認証の結果はＯＫであるが、上述したＩＣカードに対する入場コードの書込みが行われないため入場を拒否する。この場合、拒否された後に拒否されたことに気が付いた利用者が、当該ＩＣカードをＩＣカードリーダ・ライタ１０ｂにタッチすることにより閉じられたドア１０ｅが開き利用者が当該自動改札機（入場機）を通過することができる。
【００４９】
図７は、自動改札機出場判定処理のフローチャートである。自動改札機１１（出場機）は、ＩＣカードリーダ・ライタ１１ａ（ＩＣカードリーダ・ライタ１０ａ相当）を有して構成されており、利用者が所持するＩＣカードＴはこのＩＣカードリーダ・ライタ１１ａによって読取られる。また、利用者が所持する荷物６１の無線タグ６１ａは無線タグリーダ・ライタ１１ｄ（無線タグリーダ・ライタ１０ｄ相当）によって読取り、書込みが行われる。
【００５０】
以上のことを前提として、自動改札機出場処理のフローチャートを説明する。ＩＣカードＡを所持する利用者が荷物６１に貼り付けられた無線タグ６１ａ（無線タグ１）を持って自動改札機１１から出場する場合を例に説明する。
【００５１】
自動改札機（出場機）１１による現行出場判定の結果、判定ＯＫの場合（Ｓ２０のＹ）、忘れ物防止システムがスタートする（Ｓ２１）。また、現行出場判定の結果、判定ＮＧの場合（Ｓ２０のＮ）、判定ＮＧ処理（現行出場処理）が行われる（Ｓ２２）。すなわち、自動改札機１１によりドア１１ｅが閉じられ、かつ、表示器１１ｃの異常ランプが点滅する（Ｓ２２）。
【００５２】
ＩＣカードＡに無線タグ１に関する入場ビットが「１」になっているか確認する。すなわち、ＩＣカードＡを所持する利用者が無線タグ１に係る荷物を持って自動改札機から入場した者であるかどうか確認する（Ｓ２３）。
【００５３】
この確認の結果、入場ビットが「１」であれば（Ｓ２３のＹ）、無線タグリーダ・ライタ１１ｄにより無線タグを読取る（Ｓ２４）。利用者が所持するＩＣカードＡのＩＤコードＡ１に関連付けられた無線タグ１のＩＤコードａ１が登録されているか確認をする。または、無線タグ１のＩＤコードａ１に関連付けられて、当該無線タグ１の所持者としての権限を有するＩＣカードＡのＩＤコードＡ１が登録されているかを確認する。すなわち、当該無線タグ１を所持する権限を有する者として登録された者であるかどうかの検証を行う（Ｓ２５）。
【００５４】
この検証の結果、一致しない場合（Ｓ２５のＮ）は、当該無線タグ１を所持する権限を有していない第三者が所持して自動改札機を通過（出場）しようとしていることになる（Ｓ２６）。
【００５５】
一方、この検証の結果、一致している場合（Ｓ２５のＹ）、当該無線タグ１の利用機期限が利用期限内であるかを確認する（Ｓ２７）。この確認の結果、利用期限内であれば（Ｓ２７のＹ）、ＩＣカードＡをＩＣカードリーダ・ライタ１１ｂにタッチすることを表示器１１ｃに表示する（Ｓ２８）。一方、無線タグの利用期限が期限内にない場合（Ｓ２７のＮ）、期限切れ判定による判定ＮＧとし、ドア１１ｅを閉じて利用者の通行を拒否する（Ｓ２９）。なお、ＩＣカードリーダ・ライタは１１ａにタッチした場合であっても同様の効果が得られるが、無線タグリーダ・ライタ１１ｄが自動改札機１０の進行方向下流側に配置されているので、ＩＣカードリーダ・ライタ１１ｂにタッチする方が利便性がよい。
【００５６】
ＩＣカードＡをＩＣカードリーダ・ライタ１１ｂにタッチした場合（Ｓ３０のＹ）、利用者は、自動改札機を通過（出場）することができる。この際、当該利用者が所持するＩＣカードに対して荷物ごとに設定可能な入出場情報エリアの入場コードを消去する書込み「１」→「０」を行う（Ｓ３１）。荷物６１に貼り付けられた無線タグ１が正常に出場したため、入場コードを消去することにより、荷物６１が構外に持ち出されたことが明確になる。
【００５７】
ステップＳ２３において、ＩＣカードＡに入場ビットが「１」になっている無線タグが登録されていない場合（Ｓ２３のＮ）、実際に無線タグが検知されなければ（Ｓ３３のＮ）、ステップＳ２０において、現行判定ＯＫとなっているので、自動改札機から通過（出場）することができる（Ｓ３５）。
【００５８】
一方、無線タグが有る場合（検知された場合）（Ｓ３３のＹ）、無線タグリーダ・ライタ１１ｄで無線タグ１のデータが読取られる（Ｓ３４）。この読取りの結果、利用者が所持するＩＣカードＡのＩＤコードＡ１に関連付けられた無線タグ１のＩＤコードａ１が登録されているか確認をする。または、無線タグ１のＩＤコードａ１に関連付けられて、当該無線タグ１の所持者としての権限を有するＩＣカードＡのＩＤコードＡ１が登録されているかを確認する（Ｓ３６）。すなわち、当該無線タグ１を所持する権限を有する者として登録された者であるかどうかの検証を行う（Ｓ３６）。
【００５９】
この検証の結果、一致しない場合（Ｓ３６のＮ）は、当該無線タグ１を所持する権限を有していない第三者が所持して自動改札機を通過（入場）しようとしていることになる（Ｓ３７）。
【００６０】
一方、この検証の結果、一致している場合（Ｓ３６のＹ）、当該無線タグ１の利用期限が利用期限内であるかを確認する（Ｓ３８）。この確認の結果、利用期限内であれば（Ｓ３８のＹ）、ＩＣカードＡをＩＣカードリーダ・ライタ１１ｂにタッチすることを表示器１１ｃに表示する（Ｓ３９）。なお、ＩＣカードリーダ・ライタ１１ｂは１１ａにタッチした場合であっても同様の効果が得られるが、無線タグリーダ・ライタ１１ｄが自動改札機１１の進行方向下流側に配置されているので、ＩＣカードリーダ・ライタ１１ｂにタッチする方が利便性がよい。
【００６１】
ステップＳ３８において、利用期限が利用期限外の場合（Ｓ３８のＮ）、期限切れ判定による判定ＮＧとし、ドア１０ｅを閉じて利用者の通行を拒否する（Ｓ４０）。
【００６２】
ステップＳ４１において、タッチが行われた場合（Ｓ４１のＹ）、利用者は自動改札を通過（出場）することができる。この際、当該利用者が所持するＩＣカードに対して荷物ごとに設定可能な入出場情報エリアに出場コードの書込み「０」→「０」を行う（Ｓ４２）。これは、入場時に入場コードが書込まれなかった無線タグのＩＤを有する荷物であっても、ＩＣカードに正規に登録された無線タグのＩＤを有する荷物は所持権限を有する利用者による荷物の持ち出しと判断して自動改札機による通行（出場）を許可するためである。これは、所持権限を有する利用者Ａが荷物を構内に持ち込み、構内で当該荷物を所持権限を有する利用者Ｂに引渡し、当該利用者Ｂが構内から構外に自動改札機を通過して当該荷物を持ち出す場合が該当する。
【００６３】
一方、ステップＳ４１において、タッチが行われなかった場合（Ｓ４１のＮ）、判定ＮＧとなり自動改札機による通行が拒否される（Ｓ４３）。利用者の所持するＩＣカードと当該利用者の所持する荷物に貼り付けられた無線タグの認証の結果はＯＫであるが、上述したＩＣカードに対する出場コードの書込みが行われないため出場を拒否する。この場合、拒否された後に拒否されたことに気が付いた利用者が、当該ＩＣカードをＩＣカードリーダ・ライタ１１ｂにタッチすることにより閉じられたドア１０ｅが開き利用者が当該自動改札機を通過（出場）することができるのは当然である。
【００６４】
なお、本実施例では、ＩＣカードに関連付けられた無線タグのＩＤコード及び入出場情報を荷物管理サーバ２０に登録する場合に付いて記載したが、当該ＩＣカードに保存することもできる。当然、図５（３）又は（４）に示すように無線タグにＩＣカードのＩＤコードを登録することもできる。このようにすることにより、何れか一方に障害が発生した場合であっても、他方に登録されている情報を元に手荷物を忘れた場合の対応及び再発行等の処理が可能になることは当然である。
【００６５】
以上説明したように、本発明の実施例によれば、所持品に無線タグを対応付け、当該無線タグのＩＤを利用者の所持するＩＣカードのＩＤコードと関連付けて登録することにより当該利用者が施設から自動改札機を利用して退出する際に手荷物を忘れて退出又は第三者による持ち去りを防止する手荷物の忘れ物防止システム及びその入場機を提供することができる。
【符号の説明】
【００６６】
１０、１１、１２  自動改札機
１０ａ、１０ｂ  ＩＣカードリーダ・ライタ
１０ｃ  表示器
１０ｄ  無線タグリーダ・ライタ
１０ｅ  ドア
１０ｆ  磁気乗車券投入口
１０ｇ  磁気乗車券取出口
２０  荷物管理サーバ
３０  遺失物管理サーバ
６０  手荷物
６１  荷物
６２  携帯電話
Ｔ  ＩＣカード
【図１】
2012048412.tif 000003
【図２】
2012048412.tif 000004
【図３】
2012048412.tif 000005
【図４】
2012048412.tif 000006
【図５】
2012048412.tif 000007
【図６】
2012048412.tif 000008
【図７】
2012048412.tif 000009